(57)【要約】【課題】フィルタ清掃運転が誤って停止される。【解決手段】本発明の空気調和機は、フィルタを清掃するフィルタ清掃運転が可能な空気調和機であって、フィルタ清掃運転を途中で停止させる停止ボタン６８を有するコントローラ本体６１と、コントローラ本体６１に対し開閉可能に構成される蓋部６２とを備えるリモートコントローラ６０を備え、停止ボタン６８は、蓋部６２を開いた状態において操作可能である。【選択図】図４
2016125705.tif 000002
【特許請求の範囲】
【請求項１】
フィルタを清掃するフィルタ清掃運転、及び、室内機の内部を乾燥させる室内機乾燥運転のいずれかの所定運転が可能な空気調和機であって、
前記所定運転を途中で停止させる停止ボタンを有するコントローラ本体と、前記コントローラ本体に対し開閉可能に構成される蓋部とを備えるリモートコントローラを備え、
前記停止ボタンは、前記蓋部を開いた状態において操作可能であることを特徴とする空気調和機。
【請求項２】
フィルタを清掃するフィルタ清掃運転、及び、室内機の内部を乾燥させる室内機乾燥運転のいずれかの所定運転が可能な空気調和機であって、
表示部を有するリモートコントローラを備え、
リモートコントローラにおいて、前記所定運転を途中で停止させる停止操作は、前記表示部に停止操作部を表示させた後において操作可能であることを特徴とする空気調和機。
【請求項３】
フィルタを清掃するフィルタ清掃運転、及び、室内機の内部を乾燥させる室内機乾燥運転のいずれかの所定運転が可能な空気調和機であって、
複数の操作ボタンを有するリモートコントローラを備え、
リモートコントローラにおいて、前記所定運転を途中で停止させる停止操作は、前記複数の操作ボタンのいずれかの操作ボタンの長押し操作、または、前記複数の操作ボタンに含まれる２以上の操作ボタンの組み合わせ操作であることを特徴とする空気調和機。
【発明の詳細な説明】
【技術分野】
【０００１】
本発明は、例えばフィルタ清掃機構を備える空気調和機に関する。
【背景技術】
【０００２】
従来より、吸い込んだ室内空気中の塵埃が熱交換器へと流れないように、熱交換器よりも空気流れ上流側に塵埃を捕集するためのフィルタが配置された空気調和機がある。近年の空気調和機には、フィルタが捕集した塵埃をフィルタから除去するためのフィルタ清掃機構を備えるものがある。この空気調和機では、ユーザがフィルタを室内機から取り外してフィルタを清掃しなくても、フィルタ清掃機構によって自動的にフィルタを清掃できる。
【先行技術文献】
【特許文献】
【０００３】
【特許文献１】特許４８３２２７９号明細書
【発明の概要】
【発明が解決しようとする課題】
【０００４】
特許文献１の空気調和機のリモートコントローラは、空調運転を開始する開始ボタンと、空調運転を停止する停止ボタンとを有しており、フィルタ清掃運転が行われているときに、停止ボタンが押されるとフィルタ清掃運転が停止される。このように、特許文献１では、空調運転の停止ボタンが、フィルタ清掃運転の停止ボタンを併用している。したがって、フィルタ清掃運転が行われているときに、ユーザにより停止ボタンが誤って押されることによって、フィルタ清掃運転が停止される可能性がある。このように、フィルタ清掃運転が途中で停止された場合、塵埃をフィルタから十分に除去できない問題がある。
【０００５】
ところで、空気調和機では、冷房運転を行った場合、室内機の内部の熱交換器に水滴が付着した状態となり、その状態で冷房運転が停止されると、熱交換器においてカビが発生することがある。したがって、冷房運転が停止された後、室内機の内部の熱交換器を乾燥させるため、圧縮機を運転しない状態で室内ファンによる送風運転を行う室内機乾燥運転が行われることがある。この室内機乾燥運転においても、仮に、空調運転の停止ボタンが、室内機乾燥運転の停止ボタンを併用している場合、室内機乾燥運転が行われているときに、ユーザにより停止ボタンが誤って押されることによって、室内機乾燥運転が停止される可能性がある。このように、室内機乾燥運転が途中で停止された場合、室内機の内部の熱交換器を十分に乾燥させることができない問題がある。
【０００６】
そこで、本発明の目的は、フィルタ清掃運転や室内機乾燥運転が誤って停止されるのを防止できる空気調和機を提供することにある。
【課題を解決するための手段】
【０００７】
第１の発明に係る空気調和機は、フィルタを清掃するフィルタ清掃運転、及び、室内機の内部を乾燥させる室内機乾燥運転のいずれかの所定運転が可能な空気調和機であって、前記所定運転を途中で停止させる停止ボタンを有するコントローラ本体と、前記コントローラ本体に対し開閉可能に構成される蓋部とを備えるリモートコントローラを備え、前記停止ボタンは、前記蓋部を開いた状態において操作可能であることを特徴とする。
【０００８】
この空気調和機では、所定運転の停止ボタンが蓋部を開いた状態において操作可能であり、ユーザは、所定運転を停止させようとして蓋部を開いた後でなければ停止ボタンを操作することができない。したがって、所定運転が誤って停止されるのを防止できる。
【０００９】
第２の発明に係る空気調和機は、フィルタを清掃するフィルタ清掃運転、及び、室内機の内部を乾燥させる室内機乾燥運転のいずれかの所定運転が可能な空気調和機であって、表示部を有するリモートコントローラを備え、リモートコントローラにおいて、前記所定運転を途中で停止させる停止操作は、前記表示部に停止操作部を表示させた後において操作可能であることを特徴とする。
【００１０】
この空気調和機では、所定運転を途中で停止させる停止操作部を表示部に表示させた後において、所定運転を停止させる操作が可能であり、ユーザは、所定運転を停止させようとして表示部に停止操作部を表示させた後でなければ所定運転を停止させる操作を行うことができない。したがって、フィルタ清掃運転が誤って停止されるのを防止できる。
【００１１】
第３の発明に係る空気調和機は、フィルタを清掃するフィルタ清掃運転、及び、室内機の内部を乾燥させる室内機乾燥運転のいずれかの所定運転が可能な空気調和機であって、複数の操作ボタンを有するリモートコントローラを備え、リモートコントローラにおいて、前記所定運転を途中で停止させる停止操作は、前記複数の操作ボタンのいずれかの操作ボタンの長押し操作、または、前記複数の操作ボタンに含まれる２以上の操作ボタンの組み合わせ操作であることを特徴とする。
【００１２】
この空気調和機では、所定運転を途中で停止させる停止操作が複数の操作ボタンのいずれかの操作ボタンの長押し操作または２以上の操作ボタンの組み合わせ操作であり、ユーザは、所定運転を停止させようとして操作しなければ所定運転の停止操作を行うことができない。したがって、所定運転が誤って停止されるのを防止できる。
【発明の効果】
【００１３】
第１の発明では、所定運転の停止ボタンが蓋部を開いた状態において操作可能であり、ユーザは、所定運転を停止させようとして蓋部を開いた後でなければ停止ボタンを操作することができない。したがって、所定運転が誤って停止されるのを防止できる。
【００１４】
第２の発明では、所定運転を途中で停止させる停止操作部を表示部に表示させた後において、所定運転を停止させる操作が可能であり、ユーザは、所定運転を停止させようとして表示部に停止操作部を表示させた後でなければ所定運転を停止させる操作を行うことができない。したがって、フィルタ清掃運転が誤って停止されるのを防止できる。
【００１５】
第３の発明では、所定運転を途中で停止させる停止操作が複数の操作ボタンのいずれかの操作ボタンの長押し操作または２以上の操作ボタンの組み合わせ操作であり、ユーザは、所定運転を停止させようとして操作しなければ所定運転の停止操作を行うことができない。したがって、所定運転が誤って停止されるのを防止できる。
【図面の簡単な説明】
【００１６】
【図１】本発明の実施形態にかかる空気調和機の外観図である。
【図２】図１の空気調和機の断面図である。
【図３】図１の空気調和機におけるフィルタ清掃運転時の動作を説明する図である。
【図４】図１の空気調和機におけるリモートコントローラを説明する図である。
【図５】本発明の第２実施形態に係る空気調和機におけるリモートコントローラを説明する図である。
【図６】本発明の第３実施形態に係る空気調和機におけるリモートコントローラを説明する図である。
【発明を実施するための形態】
【００１７】
（第１実施形態）
以下、図面を参照しながら、本発明の実施形態に係る空気調和機１について説明する。なお、以下の実施形態は、本発明の具体例であって、本発明の技術的範囲を限定するものではない。
【００１８】
図１は、本発明の実施形態に係る空気調和機１の外観図であり、図２は、空気調和機１の断面図である。この空気調和機１は、室内の壁面に取り付けられる壁掛け型の室内機である。空気調和機１は、室外に配置される室外機（図示しない）と冷媒配管を介して接続されて空気調和機を構成しており、室内の冷房運転及び暖房運転を含む通常運転に加えて、フィルタを自動で清掃するフィルタ清掃運転を行うことができる。空気調和機１は、リモートコントローラ（以下、コントローラ）６０に対する操作に基づいて制御される。
【００１９】
空気調和機１は、図１、図２に示すように、主として、本体ケーシング１１、フィルタ１２と、室内熱交換器１３、室内ファン１４とを備えている。本体ケーシング１１は、空気調和機１の外郭を構成する部材であって、内部にフィルタ１２、室内熱交換器１３、室内ファン１４を収納している。本体ケーシング１１の上部には、本体ケーシング１１内に室内の空気を吸い込むための吸込口１７が設けられており、本体ケーシング１１の内部には、フィルタ清掃機構２０が配置される。
【００２０】
室内熱交換器１３は、通過する空気との間で熱交換を行う。室内熱交換器１３は、側面視において両端が下方に向いて屈曲する逆Ｖ字状の形状を成し、その下方に室内ファン１４が位置する。室内ファン１４は、クロスフローファンであり、室内から吸込口１７を介して本体ケーシング１１内に取り込んだ空気を、室内熱交換器１３を通過させた後、本体ケーシング１１内から室内に吹き出す空気流れを形成する。
【００２１】
フィルタ１２は、吸込口１７に対向するとともに、室内熱交換器１３を覆うように配置されている。したがって、フィルタ１２は、吸込口１７を介して室内熱交換器１３に向かって流入してくる吸込空気に含まれる塵埃を捕集する。
【００２２】
フィルタ清掃機構２０は、フィルタ１２を自動的に清掃するフィルタ清掃運転を実行するための機構である。フィルタ清掃機構２０は、フィルタ１２から塵埃を除去するブラシ２１と、ブラシ２１から除去された塵埃を溜めるダストボックス２５とを有している。フィルタ１２は、その両端が軸３１と軸３２のそれぞれに巻回されており、軸３１は第１モータ（図示しない）に回転駆動され、軸３２は第２モータ（図示しない）により回転駆動される。
【００２３】
本実施形態の空気調和機１では、図３（ａ）に示すように、フィルタ１２における吸込口１７と対向しない部分のほとんどが軸３１の周囲に巻回された状態で通常運転が行われる。したがって、フィルタ清掃機構２０は、フィルタ清掃運転を実行するとき、図３（ｂ）に示すように、軸３１の周囲に巻回されたフィルタ１２を軸３２に向かって移動させる。このとき、フィルタ１２に接触するブラシ２１により、フィルタ１２から塵埃が除去される。フィルタ清掃運転が行われると、図３（ｃ）に示すように、フィルタ１２における吸込口１７と対向しない部分のほとんどが軸３２の周囲に巻回された状態となる。したがって、フィルタ清掃運転が終了すると、軸３２の周囲に巻回されたフィルタを軸３１に向かって移動させる。
【００２４】
コントローラ６０について、図４を参照しつつ説明する。
【００２５】
図４（ａ）は、コントローラの表面の蓋部を閉じた状態であり、図４（ｂ）は、コントローラの表面の蓋部を開いた状態を示している。蓋部６２は、その下端を支点として、コントローラ本体６１に対し開閉可能に構成される。コントローラ６０は、コントローラ本体６１と、コントローラ本体６１に対し開閉可能に構成された蓋部６２とを有している。コントローラ本体６１の表面には、表示部６３が配置される。蓋部６２の表面には、冷房、暖房、除湿及び送風のいずれかの運転を選択する運転選択ボタン６４と、設定温度を変更する温度調整ボタン６５と、設定湿度を変更する湿度調整ボタン６６とを配置される。
【００２６】
図４（ｂ）に示すように、コントローラ６０の蓋部６２を開いた状態では、コントローラ本体６１における蓋部６２により隠れていた部分には、複数のボタンが配置される。その複数のボタンには、フィルタ清掃運転を手動により開始するフィルタ清掃開始ボタン６７と、フィルタ清掃運転を手動により停止するフィルタ清掃停止ボタン６８とが含まれる。
【００２７】
本実施形態の空気調和機１では、フィルタ清掃運転は、例えば、ユーザによってフィルタ清掃開始ボタン６７が操作されることにより開始される場合と、空調運転が長時間行われた後において、空調運転が停止されたときに自動的に開始される場合がある。したがって、ユーザは、フィルタ清掃運転が行われているときに、フィルタ清掃運転の途中で停止させるためには、蓋部６２を開いた後、フィルタ清掃停止ボタン６８を操作することにより、フィルタ清掃運転の途中で停止させることができる。
【００２８】
［本実施形態の空気調和機の特徴］
本実施形態の空気調和機１では、フィルタ清掃運転の停止ボタン６８が蓋部６２を開いた状態において操作可能であり、ユーザは、フィルタ清掃運転を停止させようとして蓋部６２を開いた後でなければ停止ボタン６８を操作することができない。したがって、フィルタ清掃運転が誤って停止されるのを防止できる。
【００２９】
（第２実施形態）
本発明の第２実施形態の空気調和機について説明する。
【００３０】
本実施形態の空気調和機は、フィルタ清掃運転を途中で停止させる操作方法が第１実施形態の空気調和機１と異なる。本実施形態の空気調和機のその他の構成は、第１実施形態の空気調和機１と略同一であるので、その説明は省略する。
【００３１】
本実施形態の空気調和機のコントローラ１６０では、操作画面ボタン１６７を操作すると、表示部６３には、図５（ｂ）の操作画面が表示される。操作画面には、複数の操作内容が表示されており、例えば、フィルタ清掃運転を開始するフィルタ清掃開始操作部１６１と、フィルタ清掃運転を途中で停止するフィルタ清掃停止操作部１６２とを含んでいる。図５（ｂ）の操作画面では、フィルタ清掃停止操作部１６２が太枠により囲まれており、フィルタ清掃停止操作部１６２が選択された状態が図示されている。操作画面に表示された複数の操作のいずれかの操作を選択する操作方法は適宜変更してよい。したがって、ユーザは、フィルタ清掃運転が行われているときに、フィルタ清掃運転の途中で停止させるためには、操作画面ボタン１６７を操作し、操作画面を表示部６３に表示させた後、フィルタ清掃停止操作部１６２を選択することにより、フィルタ清掃運転の途中で停止させることができる。
【００３２】
［本実施形態の空気調和機の特徴］
本実施形態の空気調和機では、フィルタ清掃運転を途中で停止させる停止操作部１６２が表示部６３に表示させた後において、フィルタ清掃運転を停止させる操作が可能であり、ユーザは、フィルタ清掃運転を停止させようとして表示部６３に停止操作部１６２を表示させた後でなければフィルタ清掃運転を停止させる操作を行うことができない。したがって、フィルタ清掃運転が誤って停止されるのを防止できる。
【００３３】
（第３実施形態）
本発明の第３実施形態の空気調和機について説明する。
【００３４】
本実施形態の空気調和機は、フィルタ清掃運転を途中で停止させる操作方法が第１実施形態の空気調和機１と異なる。本実施形態の空気調和機のその他の構成は、第１実施形態の空気調和機１と略同一であるので、その説明は省略する。
【００３５】
本実施形態の空気調和機のコントローラ２６０では、フィルタ清掃停止ボタン２６７を長押し操作が行われたときに、フィルタ清掃運転の途中で停止させる操作が行われたと判断する。したがって、ユーザは、フィルタ清掃運転が行われているときに、フィルタ清掃運転の途中で停止させるためには、フィルタ清掃停止ボタン２６７を長押し操作することにより、フィルタ清掃運転の途中で停止させることができる。
【００３６】
［本実施形態の空気調和機の特徴］
本実施形態の空気調和機では、フィルタ清掃運転を途中で停止させる操作がフィルタ清掃停止ボタン２６１を長押し操作であり、ユーザは、フィルタ清掃運転を停止させようとしてフィルタ清掃停止ボタン２６１を長押し操作しなければフィルタ清掃運転を停止させる操作を行うことができない。したがって、フィルタ清掃運転が誤って停止されるのを防止できる。
【００３７】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００３８】
上述の第３実施形態では、フィルタ清掃運転を途中で停止させる操作がフィルタ清掃停止ボタン２６１を長押し操作である場合を説明したが、フィルタ清掃運転を途中で停止させる操作が２以上の操作ボタンの組み合わせ操作であってよい。例えば、コントローラ２６０は、図６において、フィルタ清掃停止ボタン２６１を操作した後、引き続き、ボタン２６２、ボタン２６３が操作されたときに、フィルタ清掃運転の途中で停止させる操作が行われたと判断してよい。
【００３９】
上述の第１実施形態では、蓋部６２を開いた後、フィルタ清掃停止ボタン６８が操作されたときに、フィルタ清掃運転の途中で停止する場合を説明したが、フィルタ清掃運転の途中で停止する操作は、蓋部６２を開いた状態において、コントローラ本体６１における蓋部６２により隠れていた部分の複数のボタンのいずれかのボタンの長押し操作、または、２以上のボタンの組み合わせ操作であってよい。
【００４０】
上述の第１実施形態では、蓋部６２がコントローラ本体６１に対し、蓋部６２の下端を支点として開閉可能に構成される場合を説明したが、蓋部６２がコントローラ本体６１に対し開閉可能とは、蓋部６２が開かれることにより、コントローラ本体６１における蓋部６２によって隠れた部分にあったボタンが操作可能になることである。
【００４１】
上述の第１−第３実施形態では、フィルタ清掃運転が途中で停止される操作について説明したが、室内機の内部を乾燥させる室内機乾燥運転が途中で停止される操作についても同様である。室内機乾燥運転は、例えば、室内機の内部の熱交換器を乾燥させるため、圧縮機を運転しない状態で室内ファンによる送風運転を行う運転である。室内機乾燥運転は、例えば、ユーザによって室内機乾燥運転開始ボタンが操作されることにより開始される場合と、冷房運転が停止されたときに自動的に開始される場合がある。
【産業上の利用可能性】
【００４２】
本発明を利用すれば、フィルタ清掃運転や室内機乾燥運転が誤って停止されるのを防止できる。
【符号の説明】
【００４３】
１  空気調和機
１２  フィルタ
６０、１６０、２６０  リモートコントローラ
６１  コントローラ本体
６２  蓋部
６３  表示部
【図１】
2016125705.tif 000003
【図２】
2016125705.tif 000004
【図３】
2016125705.tif 000005
【図４】
2016125705.tif 000006
【図５】
2016125705.tif 000007
【図６】
2016125705.tif 000008